(57)【要約】【課題】圃場に敷設されているマルチフィルムに、苗を植え付けるための植付孔を孔開装置にて開口し、該植付孔に、苗載台の苗トレイから苗取出爪にて取り出された一株分のポット苗を、開閉可能な爪体を有する植付爪にて植え付ける野菜移植機において、円筒形の孔開体でマルチフィルムに植付孔を開口する場合、植付孔を開口した孔開体を上方に引き上げる際、マルチフィルムが孔開体に付着して上方に引っ張られ、植付孔の切れ部形状が悪くなってしまう不具合が生じていた。【解決手段】加熱した孔開体２を植付部前方で昇降するように配置してマルチフィルムに植付孔を開口し、苗を前記植付孔に植え付ける野菜移植機において、前記孔開体２を、上方から下方へ向かって径が小さくなる円錐台状に形成した。【選択図】　　　　図２
2004065042.tif 000002
【特許請求の範囲】
【請求項１】
加熱した孔開体を植付部前方で昇降するように配置してマルチフィルムに植付孔を開口し、苗を前記植付孔に植え付ける野菜移植機において、前記孔開体を、上方から下方へ向かって径が小さくなる円錐台状に形成したことの特徴とする野菜移植機のマルチフィルム孔開装置。
【請求項２】
前記孔開体を支持する支持杆に対して、該開口体を上下位置変更可能に取り付けたことを特徴とする請求項１記載のマルチフィルム孔開装置。
【発明の詳細な説明】
【０００１】
【発明の属する技術分野】
本発明は、畝上に敷設されているマルチフィルムに、苗の植付孔を開口して植え付ける野菜移植機の、孔開口部の構成に関する。
【０００２】
【従来の技術】
従来より、圃場の畝上にマルチフィルムを敷設して、野菜移植機により苗を植え付けるために、野菜移植機に植付孔を開口する孔開装置を設け、該孔開装置にて植付孔を開口し、該植付孔に、苗載台の苗トレイから苗取出爪にて取り出された一株分のポット苗またはプラグ苗を、開閉可能な爪体を有する植付爪にて植え付ける野菜移植機は公知である。従来の孔開装置は、ヒータを収納した円筒体またはヒータを敷設した円板を昇降させ、マルチフィルムの所定箇所に押圧し、円形に溶かして開口された該植付孔に、苗を植え付ける構成となっていた。例えば実開平４−１００３５９号の技術である。
【０００３】
【発明が解決しようとする課題】
しかし、円筒体の孔開装置でマルチフィルムに植付孔を開口する構成においては、植付孔を開口した孔開装置を上方に引き上げる際に引きずりが発生して、植付孔の切れ部形状が悪くなってしまう不具合が生じていた。また、異なる種類の苗を移植するときには、苗の大きさが異なるため、孔開装置の円筒体または円板の変更する必要があり、コストアップとなってしまう。
【０００４】
【課題を解決するための手段】
本発明の解決しようとする課題は以上の如くであり、次にこの課題を解決するための手段を説明する。
【０００５】
即ち、請求項１においては、加熱した孔開体を植付部前方で昇降するように配置してマルチフィルムに植付孔を開口し、苗を前記植付孔に植え付ける野菜移植機において、前記孔開体を、上方から下方へ向かって径が小さくなる円錐台状に形成したことの特徴とするものである。
【０００６】
請求項２においては、前記孔開体を支持する支持杆に対して、該開口体を上下位置変更可能に取り付けたものである。
【０００７】
【発明の実施の形態】
次に、発明の実施の形態を説明する。
図１は野菜移植機の全体側面図、図２は孔開部と植付部側面図、図３は支持杆と、上下動する孔開体を示す断面図、図４は支持杆と孔開体を示す側面図である。
【０００８】
先ず、図１において、本発明のマルチフィルム孔開装置を備えた野菜移植機の全体の構成について説明すると、ベースフレーム５前部上にエンジンＥが搭載され、該ベースフレーム５の後部にはミッションケースＭが配設され、該ミッションケースＭの側部にはスイングケース７が上下揺動可能に支持され、該左右のスイングケース７後部には後輪１４が支持され、前記ベースフレーム５の前端にはスイングアーム８が上下揺動可能に支持され、該スイングアーム８後端には前輪１３が支持されており、ベースフレーム５の下方には、畝Ｕ上面を鎮圧する鎮圧ローラー１７が配設されている。
【０００９】
そして、前記ミッションケースＭの後端には植付伝動ケース９が軸支されており、該植付伝動ケース９の後端にはマルチフィルム孔開装置の孔開部Ｂとポット苗の植付部Ｃが配設され、前記植付伝動ケース９よりフレームを介してゲージ輪２７が支持されて、畝面の凹凸に合わせて植付伝動ケース９や孔開部Ｂや植付部Ｃが上下揺動可能としている。また、ミッションケースＭの後方には、シャーシフレーム１０が配設され、該シャーシフレーム１０上に左右往復移動する苗載台１８や該苗載台１８上の苗トレイ３１から一株分のポット苗を取り出す苗取出爪１９等によりなる苗供給部Ｄが構成されている。
【００１０】
そして、前記シャーシフレーム１０後端に操向ハンドル１１が連設されて、該操向ハンドル１１には、植付クラッチレバー２０や左右サイドクラッチレバー２１等が配設され、操向ハンドル１１下方に走行変速レバー２２、株間変速レバー２３、植付深さ調節レバー２４等が配設されている。
【００１１】
次に、図２において植付部Ｃの構成を説明すると、植付部Ｃは前記植付伝動ケース９に横架した植付駆動軸５７にロータリーケース５８が固設され、該ロータリーケース５８にクランクアーム５９が連結され、該クランクアーム５９に植付アーム６０が枢支され、該植付アーム６０に爪支持体３３と、進退ロッド６３を介して植付爪６１が連結され、一方植付アーム６０上端にガイドローラ６４を回動自在に枢支して、該ガイドローラ６４を植付伝動ケースに固設されたガイドレール６５に嵌入している。前記植付駆動軸５７を駆動することによりロータリーケース５８、クランクアーム５９が回動して、植付アーム６０がガイドローラ６４に案内されて植付爪先端が楕円状に回動し、この回転軌跡の上端で前記苗取出爪１９より苗を受け継ぎ、回転軌跡の下端で植付爪６１の先端が楕円状に回動し、回転軌跡の下端で植付爪が畝Ｕに突入して進退ロッド６３が伸張して植付爪６１が開き、畝Ｕ上に苗を植え付けるのである。前記植付爪６１は、一対の爪６１ａ・６１ｂが、上部で互いに向かう方向に固設された支持プレート６６・６７部分で枢結されており、一側の爪６１ａの上側が進退ロッドの伸張によって他側の爪６１ｂ側へ押されるか、または逆側に引かれることで開閉される。
【００１２】
孔開部Ｂは、上リンク４６が植付伝動ケース９に固設されたブラケットに枢支され、上リンク４６後端には支持杆４５の上端が枢支され、該支持杆４５中途部に下リンク４７の後端が枢結され、該下リンク４６の前端は植付伝動ケース９に固設されたブラケットに枢支されていて、該上リンク４６と下リンク４７とで平行リンク機構を形成している。植付伝動ケース９と駆動軸５７との間には、立設プレート３０が介装されている。前記上リンク４６の中央部にはガイドローラ４６ａが回転自在に支承されている。前記ガイドローラ４６ａはカム５５と当接しており、該カム５５は駆動軸５７上に固設され、該駆動軸５７の回転に伴うカム５５の回転によって、ガイドローラ４６ａはカム５５外周上を摺動し、ガイドローラ４６ａが窪み部５５ａと嵌合することで上リンク４６は下方に移動し、窪み部５５ａから退出することで上方に移動する。このようにして上リンク４６が上下動することで、平行リンク機構が上下動し、支持杆４５は上下に移動する。
【００１３】
支持杆４５下端には孔開体２が設けられていて、該孔開体２がマルチフィルムに植付孔を開口する。支持杆４５には、バッテリ２９と接続されたヒータ２５が付設されており、本実施例では支持杆４５を角パイプ状に構成して、支持杆４５内にヒータ２５を収納して、障害物等に当接しても破損しないように構成している。該ヒータ２５はバッテリ２９からの電力供給により加熱され、このヒータ２５で発生した熱が、孔開体２に伝達される。前記孔開体２の上部はヒータ２５が挿入されて、または、ヒータ２５が一体的に取り付けられて熱が伝わり易いように構成し、該孔開体２の下部は略円錐台形状で、下方に向かって径が小さくなるように構成されており、最下部（先端部）は水平面に構成されている。該孔開体２の上部には円筒状の取付部材２６が固設されており、該取付部材２６に前記支持杆４５下端が挿入固定される。該取付部材２６は、前記支持杆４５上を上下に摺動可能に挿入され、該支持杆４５に対する取付部材２６の上下相対位置を変更可能としている。この取付位置の変更構成として、例えば、取付部材２６の側面に固定孔２６ａを開口し、支持杆４５の側面には上下方向に所定間隔をおいて複数の固定孔４５ａ・４５ａ・・・を開口し、このうちのいずれかの固定孔４５ａと前記固定孔２６ａとを合わせてピン２８（またはボルト等）を挿入することで、取付部材２６は支持杆４５上の所定位置に固定される。なお、前記ヒータ２５は、孔開体２の上下動に連動して上下動する。また、前記固定孔４５ａ・４５ａ・・・の間隔はプラグ苗またはポット苗の根鉢の大きさの種類に合わせることができる。但し、この固定構造は限定するものではなく、ネジにより固定したりすることができる。また、プラグ苗またはポット苗で孔開体２を変更することもできる。
【００１４】
このようにして孔開体２を、支持杆４５上での上下相対位置を変更可能に取り付けているので、孔開体２が畝に挿入される深さを調整できるようにしているのである。すなわち、孔開体２を支持杆４５の下部位置（低い位置）に固定するほど、畝に深く挿入され、孔開体２は円錐状台に形成されているため、マルチフィルムに開口される植付孔の径が大きくなる。逆に孔開体２を支持杆４５の上部位置（高い位置）に固定するほど、畝に挿入される深さは浅くなり、植付孔の径は小さくなる。つまり、孔開体２を上下動させることで、植付孔の径を変更できるのである。従来の円筒径の孔開体であれば、植付孔の径を変更したい場合、所望の径の孔開体に交換する必要があったが、本発明の円錐状の孔開体を用いれば、孔開体を交換する必要がなく、上下位置を調節するだけでよい。前記固定孔４５ａ・４５ａ・・・の側部に直径が判るように目盛や表示部を設けることもできる。
また、孔開体２は円錐台状に形成されているので、マルチフィルムに植付孔を開けた後に、孔開体２を上部に持ち上げる際、孔開体２の側面は斜面となっているため、引きずったり、引っ掛かったりすることがなく、スムーズに植付孔から抜け出すことができ、マルチフィルムが孔開体２に付着したまま上方に引っ張られて、植付孔の切れ部形状が悪くなってしまうこともないのである。
【００１５】
【発明の効果】
本発明は、以上のように構成したので、以下に示すような効果を奏する。
【００１６】
即ち、請求項１に示す如く、加熱した孔開体を植付部前方で昇降するように配置してマルチフィルムに植付孔を開口し、苗を前記植付孔に植え付ける野菜移植機において、前記孔開体を、上方から下方へ向かって径が小さくなる円錐台状に形成したので、孔開体はマルチフィルムに植付孔を開けた後、スムーズにマルチフィルムより抜け出ることができる。よって、マルチフィルムが孔開体に引きずられて、植付孔の切れ部形状が悪くなることがない。
【００１７】
請求項２に示す如く、前記孔開体を支持する支持杆に対して、該開口体を上下位置変更可能に取り付けたので、孔開体が植付部に挿入される深さを調整できる。すなわち孔開体を支持杆の下部に固定するほど、植付部に深く挿入され、孔開体は円錐状に形成されているため、マルチフィルムに開口される植付孔の径が大きくなる。逆に孔開体を支持杆の上部に固定するほど、植付部に挿入される深さは浅くなり、植付孔の径は小さくなる。よって、一つの孔開体で、様々な大きさの径の植付孔を開けることができるので、苗の種類によってその大きさに合わせて孔開体を交換する必要はない。
【図面の簡単な説明】
【図１】野菜移植機の全体側面図。
【図２】孔開部と植付部側面図。
【図３】支持杆と、上下動する孔開体を示す断面図。
【図４】支持杆と孔開体を示す側面図。
【符号の説明】
２　孔開体
２６　取付部材
２８　ピン
４５　支持杆
【図１】
2004065042.tif 000003
【図２】
2004065042.tif 000004
【図３】
2004065042.tif 000005
【図４】
2004065042.tif 000006